(57)【要約】  本発明は、ユーザの身体活動を測定するためのボディセンサ（１）に関し、センサ部（２）と、ユーザの身体部分の反対側に当該センサ部（２）を固定するための分離接続部（３）とを、備える。センサ部（２）は、筐体（２０）の内部で、当該センサ部（２）の構成要素を取り囲む、筐体（２０）を含む。構成要素は、回路基板（２６）と、光学測定により身体活動を測定するように構成された光学センサ（２１）と、光学センサ（２１）と接続するように配設される第一の磁気接続部（２２）と、筐体（２０）内に配設される１以上の他の構成要素とを、備える。分離接続部（３）は、センサ部（２）から独立しており、筐体（２０）の第一の面（２０ａ）を介して、第一の磁気接続部（２２）との磁気接続を提供するように構成された第二の磁気接続部（３２）を含む。【選択図】図１
2021523813.tif 000002
【特許請求の範囲】
【請求項１】
ユーザの身体活動を測定するためのボディセンサ（１）であって、
第一の面（２０ａ）と当該第一の面（２０ａ）に対向する第二の面（２０ｂ）とを有する筐体（２０）を含む、センサ部（２）と、
前記筐体（２０）は、当該筐体（２０）内において、前記センサ部（２）の構成要素を取り囲み、前記構成要素は、
前記筐体（２０）内において、前記第一の面（２０ａ）と前記第二の面（２０ｂ）との間に配設される、回路基板（２６）と、
光学的測定により身体活動を測定するように構成されており、前記筐体（２０）内において、前記回路基板（２６）と前記第一の面（２０ａ）との間に配設される、光学センサ（２１）と、
第一の磁気接続部（２２）と、
前記筐体（２０）の前記第一の面（２０ａ）上に配設され、前記光学センサ（２１）に直接面することにより、前記第一の面（２０ａ）を介して、前記光学センサ（２１）から前記筐体（２０）の外側へ、および前記第一の面（２０ａ）を介して、前記筐体の外側から前記光学センサ（２１）へ、光を通過させることができるように構成された、透明窓（２３）と、
前記筐体（２０）の内部に配設された、１以上の他の構成要素とを、備えており、
前記センサ部（２）から独立しており、ユーザの身体部分の反対側に前記センサ部（２）を固定するために、前記筐体（２０）の前記第一の面（２０ａ）を介して、前記第一の磁気接続部（２２）との磁気接続を提供するように構成された第二の磁気接続部（３２）を含む、分離接続部（３）とを、備える、
ことを特徴とするボディセンサ（１）。
【請求項２】
前記構成要素は、前記筐体（２０）内において、前記第一の面から前記第二の面に向かって、前記透明窓（２３）、前記光学センサ（２１）、前記回路基板（２６）、および前記第一の磁気接続部（２２）の順に、配設されている、
ことを特徴とする請求項１に記載のボディセンサ（１）。
【請求項３】
前記光学センサ（２１）および前記第一の磁気接続部（２２）は、前記回路基板（２６）の対向面上に、配設されている、または、
前記回路基板（２６）は、前記筐体（２０）の前記第一の面（２０ａ）に平行に、配設され、前記光学センサ（２１）および前記第一の磁気接続部（２２）は、前記回路基板（２６）の対向面上に、配設されている、
ことを特徴とする請求項１又は請求項２に記載のボディセンサ（１）。
【請求項４】
前記光学センサ（２１）および前記第一の磁気接続部（２２）は、前記第一の面（２０ａ）から前記第二の面（２０ｂ）に向かう方向において、少なくとも部分的に重なり合う、または、
前記光学センサ（２１）および前記第一の磁気接続部（２２）は、前記光学センサ（２１）から前記第二の面（２０ｂ）に向かう方向において、少なくとも部分的に重なり合う、
ことを特徴とする請求項１乃至請求項３の何れか一項に記載のボディセンサ（１）。
【請求項５】
前記第一の磁気接続部（２２）は、前記第一の面（２０ａ）から前記第二の面（２０ｂ）に向かう方向において、前記光学センサ（２１）と同軸に、配設されている、
ことを特徴とする請求項１乃至請求項４の何れか１項に記載のボディセンサ（１）。
【請求項６】
前記構成要素は、前記筐体（２０）内において、前記第一の面から前記第二の面に向かって、前記透明窓（２３）、前記光学センサ（２１）、および前記回路基板（２６）の順に配設されており、さらに、前記筐体（２０）内において、前記回路基板（２６）と前記第一の面（２０ａ）との間において、前記第一の磁気接続部（２２）は、少なくとも部分的に、前記透明窓（２３）と重なり合うように、配設されている、
ことを特徴とする請求項１に記載のボディセンサ（１）。
【請求項７】
前記センサ部（２）の前記他の構成要素は、前記センサ部（２）へ電力を供給するように構成された、再充電可能なバッテリ（２４）を、さらに備える、
ことを特徴とする請求項１に記載のボディセンサ（１）。
【請求項８】
前記センサ部（２）の前記他の構成要素は、前記バッテリ（２４）の再充電のために、前記バッテリ（２４）に接続される、少なくとも一つのチャージパッド（２５）を、さらに備える、
ことを特徴とする請求項７に記載のボディセンサ（１）。
【請求項９】
前記少なくとも一つのチャージパッド（２５）は、前記筐体（２０）の前記第二の面（２０ｂ）から前記第一の面（２０ａ）に向かって延設し、前記回路基板（２６）と接触するように、配置されている、
ことを特徴とする請求項８に記載のボディセンサ（１）。
【請求項１０】
前記センサ部（２）の前記他の構成要素は、前記光学センサ（２１）と平行に、配設されており、または、
前記センサ部（２）の前記他の構成要素は、前記第一の磁気接続部（２２）と平行に、配設されており、または、
前記センサ部（２）の前記他の構成要素は、前記光学センサ（２１）および前記第一の磁気接続部（２２）と平行に、配設されている、
ことを特徴とする請求項１乃至請求項９の何れか１項に記載のボディセンサ（１）。
【請求項１１】
前記光学センサ（２１）は、無線通信部品を含み、または、
前記回路基板（２６）は、無線通信部品を含む、
ことを特徴とする請求項１乃至請求項１０の何れか１項に記載のボディセンサ（１）。
【請求項１２】
前記ボディセンサ（１）は、ユーザの耳から、心拍数活動を測定するための、耳の心拍数センサであり、
前記心拍数センサは、光学心拍数測定により、心拍数活動を測定するように構成された、光学センサ（２１）を含み、
前記分離接続部（３）は、前記センサ部（２）から独立しており、前記ユーザの身体部分の反対側に前記センサ部（２）を固定するために、前記筐体（２０）の前記第一の面（２０ａ）を介して、前記第一の磁気接続部（２２）との磁気接続を提供するように構成された、第二の磁気接続部（３２）を含む、
ことを特徴とする請求項１乃至請求項１１の何れか１項に記載のボディセンサ（１）。
【請求項１３】
前記光学センサ（２１）および前記第一の磁気接続部（２２）は、前記第一の面（２０ａ）から前記第二の面（２０ｂ）に向かう方向において、少なくとも部分的に重なり合う、または、前記第一の磁気接続部（２２）は、前記第一の面（２０ａ）から前記第二の面（２０ｂ）に向かう方向において、前記光学センサ（２１）と同軸に、配設されている、
ことを特徴とする請求項１乃至請求項１２の何れか１項に記載のボディセンサ（１）。
【発明の詳細な説明】
【技術分野】
【０００１】
この発明は、独立請求項１のプリアンブルに規定されているような、ユーザの身体活動を測定するためのボディセンサに関する。
【背景技術】
【０００２】
従来技術において、ユーザの手首から、たとえば心拍数活動を測定する、異なる種類の手首装着型のボディセンサが知られている。また、上腕又は前腕において使用される、光学心拍数センサが知られている。しかしながら、ユーザの腕又は手首と接続して配置される、これらの種類の心拍数センサは、万人、特に腕に問題を有する人々又は腕を大いに使用する人々、に対して適切でなく、当該手首装着型の心拍数センサは、ユーザの運動を阻害する。
【０００３】
従来技術において、心拍数活動をユーザの耳から測定することも、知られている。特許文献１は、心拍数および身体活動を計算するための集積装置を、開示している。当該装置は、耳に渡って配置される小型の装置内部の、加速度計および心拍数モニタから構成される。当該耳に渡る配置は、磁石を用いて、なされる。当該装置は、マイクロコントローラ、バイブレータ、および、たとえばスマートフォンやコンピュータなどの他の装置と、通信することができる無線ネットワークモジュールを、含む。反射光電式容積脈波記録法を利用して、耳の後ろから、心拍数を得る。このことを測定する手段は、赤外線ＬＥＤおよびフォトダイオードを用いて、達成される。耳に当該装置を貼り付ける手段は、磁石を含む本体を備え、さらに、当該同じ本体は、他の磁石を含む可撓性材料に対して、固定もされる。換言すれば、特許文献１に開示されている装置は、可撓性材料を介して互いに接続される二つの磁石を含む、一体装置である。
【先行技術文献】
【特許文献】
【０００４】
【特許文献１】国際公開第２０１７／１８９６８７号
【発明の概要】
【発明が解決しようとする課題】
【０００５】
従来技術に関連した問題の一つは、一体装置により、装置の配置が限定され、さらに装置がより大きく、それ故より重くなる、ということである。ランニング又はハードな運動などのスポーツにおいて当該装置を用いるとき、装置がより大きくより重くなることは、欠点となる。従来技術に関する他の問題は、耳のサイズが異なる又は強度の必要性が変わる場合において、二つの磁石の間における磁気的な接続の強さが、変更することができないことである。さらに、一体装置に関する問題は、装置が、髪、他のスポーツ機材、または服にくっつく、というリスクである。
【０００６】
本発明の目的は、ユーザの体に自由に取り付けられる、効果的なボディセンサを提供することである。本発明の更なる目的は、ユーザの耳にしっかりと取り付けられる、効果的な耳装着型心拍数センサを提供することである。
【課題を解決するための手段】
【０００７】
本発明の目的は、独立請求項に述べられていることを特徴とするボディセンサにより、達成される。本発明の好ましい実施の形態は、従属請求項で開示される。
【０００８】
本発明は、身体の部分に接続されて、たとえば鼻、唇、腕、または耳に接続されて、好ましくは耳たぶに接続されて、使用される、ボディセンサに関する。ボディセンサは、たとえば心拍数、血圧、または酸素飽和度などのユーザの身体活動を、測定する光学センサを使用し、さらに、無線接続を介して、たとえばブルートゥース（登録商標）を介して、モバイルアプリへ、情報を転送する。ボディセンサの充電は、当該ボディセンサが充電器に置かれたときに、少なくとも一つの充電パッドを通して提供される。
【０００９】
本発明は、磁気接続部品を有する二つの分離部を備える、コンパクトなボディセンサを提供する、という考えに基づいている。
【００１０】
本発明によれば、ボディセンサは、センサ部と、耳などのユーザの身体部分の反対側にセンサ部を固定するための分離接続部とを、備える。換言すれば、ボディセンサは、ユーザの身体部分の反対側に接続される、二つの分離部を備える。センサ部は、第一の面と、当該第一の面に対向する第二の面とを有し、筐体内部でセンサ部の構成要素を取り囲む、筐体を備える。センサ部の構成要素は、回路基板、光学センサ、第一の磁気接続部、透明窓、および１以上の他の構成要素を、備える。回路基板は、筐体内部において、筐体の第一の面と筐体の第二の面との間に、配設され、好ましくは、回路基板は、筐体内部において、筐体の第一の面又は第二の面に対して、実質平行に延設する。光学センサは、光学測定により、心拍数、血圧、または酸素飽和度などの、身体活動を測定するように構成され、光学センサは、筐体内部において、回路基板と第一の面との間に、配設される。換言すれば、光学センサは、筐体内部において、筐体の第一の面と筐体内部に配設される回路基板との間に位置する場所内に、配設される。透明窓は、筐体の第一の面に配設され、光学センサに直接面することにより、光学センサが光を発しているとき、筐体の第一の面を介して、光学センサから筐体の外側へ、光を通過させることができるように、透明窓は構成され、さらに、筐体の第一の面を介した筐体の外側から光学センサへの光を、透明窓は受信する。光学センサおよび透明窓は、第一の面から第二の面に向かう方向において、連続的に配設される。透明窓および光学センサは、別部材であってもよく、または、透明窓は、光学センサの一体部分であってもよい。第一の磁気接続部は、光学センサと接続するように配設され、これにより、第一の磁気接続部は、耳などのユーザの身体部分の反対側に位置する第二の磁気接続部との間で、効率的な磁気接続を提供し、これにより、光学センサからの光が身体部分の皮に到達することができるように、さらに光学測定に従い、心拍数などの身体活動を測定することができるように、透明窓は、耳などのユーザの身体部分に対して、しっかり配設される。センサ部は、筐体内部に配設される１以上の他の構成要素を、さらに備える。分離接続部は、センサ部から独立しており、耳などのユーザの身体部分の反対側にセンサ部を固定するために、筐体の第一の面を介した第一の磁気接続部との磁気接続を提供するように構成された、第二の磁気接続部を備える。
【００１１】
本発明の好ましい実施の形態において、センサ部内の第一の磁気接続部は磁石であり、分離接続部内の第一の磁気接続部は磁石である。本発明の他の実施の形態において、センサ部内の第一の磁気接続部は磁石であり、分離接続部内の第二の磁気接続部は、磁性材料から成り又は磁性材料を含み、これにより、第一および第二の磁気接続部間において、磁気接続が形成される。本発明の更なる別の実施の形態において、第一の磁気接続部は、磁性材料から成り又は磁性材料を含み、これにより、第一の磁気接続部と磁石である第二の磁気接続部との間において、磁気接続が形成される。
【００１２】
センサ部の構成要素は、筐体内において、第一の面から第二の面に向かって、透明窓、光学センサ、回路基板、および第一の磁気接続部の順に、配設される。
【００１３】
本発明の好ましい実施の形態において、光学センサおよび第一の磁気接続部は、回路基板の対向面に、配設される。回路基板は、両面回路基板であってもよく、光学センサは、回路基板の第一の面に接続され、第一の磁気接続部は、回路基板の第二の面と接続するように、配設される。回路基板の第一の面は、筐体の第一の面に向かって面しており、および／または、回路基板の第二の面は、筐体の第二の面に向かって面している。第一の磁気接続部は、回路基板と接触していてもよく、または回路基板の近くにあってもよい。
【００１４】
または、回路基板は、筐体の第一の面と平行に配設され、光学センサおよび第一の磁気接続部は、回路基板の対向面に配設される。
【００１５】
本発明の好ましい実施の形態において、光学センサおよび第一の磁気接続部は、第一の面から第二の面に向かう方向において、少なくとも部分的に重なり合い、または、光学センサおよび第一の磁気接続部は、光学センサから第二の面に向かう方向において、少なくとも部分的に重なり合う。光学センサが、磁気接続部間において、少なくとも部分的に存し、よってユーザの身体部分に対してしっかり配置されるように、磁気接続が、第一の磁気接続部と第二の磁気接続部との間で提供されるので、これは、極めて有益な実施の形態である。
【００１６】
本発明の更なる実施の形態において、第一の磁気接続部は、第一の面から第二の面に向かう方向において、光学センサと同軸に配設される。本発明の当該実施の形態において、第一の磁気接続部の効果場内に直接存するので、光学センサは、ユーザの身体部分に対して、最もしっかりと配置される。
【００１７】
本発明の別の実施の形態において、上記構成要素は、筐体内において、第一の面から第二の面に向かって、透明窓、光学センサ、および回路基板の順に、配設され、さらに、第一の磁気接続部が、回路基板と第一の面との間の筐体内部において、透明窓と、少なくとも部分的に重なり合うように配設されるように、当該構成要素は配設される。
【００１８】
センサ部の他の構成要素は、当該センサ部に電力を供給するように構成された、再充電可能なバッテリを、さらに備える、または、センサ部の他の構成要素は、当該センサ部に電力を供給するように構成された再充電可能なバッテリと、当該バッテリを再充電するため、当該バッテリに接続される、少なくとも一つのチャージパッドとを、さらに備える。
【００１９】
本発明の一つの実施の形態において、少なくとも一つのチャージパッドは、筐体の第一の面から第一の面に向かって延設するように、および回路基板と接触するように、配置される。
【００２０】
本発明の一つの実施の形態において、再充電可能なバッテリは、第一の磁気接続部の部分を形成するために、配置される、または、再充電可能なバッテリは、第一の磁気接続部を形成するために、配置される。このことは、第一の磁気接続部が、再充電可能なバッテリの部分として、たとえば再充電可能なバッテリの追加ケースとして、再充電可能なバッテリと接続するように配設されてもよく、または、再充電可能なバッテリが、第一の磁気接続部を形成するように、当該再充電可能なバッテリが、磁性材料から作られてもよい、ということを意味する。
【００２１】
本発明の一つの実施の形態において、センサ部の他の構成要素は、光学センサと平行となるように、配設される、または、センサ部の他の構成要素は、第一の磁気接続部と平行となるように、配設される、または、センサ部の他の構成要素は、光学センサおよび第一の磁気接続部と平行となるように、配設される。
【００２２】
本発明の一つの実施の形態において、光学センサは、無線通信部品を備える、または、回路基板は、無線通信部品を備える。
【００２３】
本発明の一つの実施の形態において、ボディセンサは、ユーザの耳から心拍数活動を測定するための、耳の心拍数センサであり、当該心拍数センサは、光学心拍数測定により、心拍数活動を測定するように構成された、光学センサを備え、さらに、分離接続部は、センサ部から独立しており、ユーザの耳の反対側にセンサ部を固定するために、筐体の第一面を介した第一の磁気接続部との磁気接続を提供するように構成された、第二の磁気接続部を備える。
【００２４】
本発明の利点は、センサ部と分離接続部とが、ボディセンサの別要素として提供されるので、ボディセンサの取付は、耳、特に耳たぶ、または鼻、または手のひら、特に人差し指と親指との間の領域内などの、多くの種類の身体部分に適する、ということである。さらに、本発明の利点は、センサ部が少ない数の構成要素を含むので、センサ部を可能な限り薄く作成することができ、このことは、センサ部に小さいレバーアームが存する、ということであり、これにより、ユーザの身体部分に取り付けられるとき、センサ部は適切な状態で留まる。本発明の他の利点は、たとえばユーザがランニングするときに、より強力な磁気接続、およびユーザが寝ているときに、より弱い磁気接続など、他の種類の磁気接続が必要とされるとき、分離接続部を変えることができる、ということである。
【図面の簡単な説明】
【００２５】
本発明は、同封された図面を参照して、特定の実施の形態の手段により、詳細に説明される。
【００２６】
【図１】本発明に係るボディセンサの実施の形態を示す図である。
【図２】本発明に係るボディセンサの他の実施の形態を示す図である。
【図３】本発明に係るボディセンサの更なる他の実施の形態を示す図である。
【図４】本発明に係るボディセンサの更なる他の実施の形態を示す図である。
【図５】本発明に係るボディセンサの実施の形態を示す図である。
【図６】本発明に係るボディセンサの他の実施の形態を示す図である。
【図７】本発明に係るボディセンサの更なる他の実施の形態を示す図である。
【図８】本発明に係るボディセンサの、センサ部の実施の形態を示す図である。
【図９】本発明に係るボディセンサの、センサ部の他の実施の形態を示す図である。
【発明を実施するための形態】
【００２７】
図１は、本発明に係るボディセンサ１の実施の形態を示しており、図１において、センサ部２および分離接続部３が、ユーザの耳Ｅの両側に配設される。全ての図は、身体部分として、耳Ｅを示しているが、本発明は、耳のみに接続したボディセンサ１の使用に限定されず、よって、耳Ｅは、図において、破線のブロックとして表されている。センサ部２は、耳Ｅに対して配置される第一の面２０ａと、第一の面２０ａに対向する第二の面２０ｂとを有する、筐体２０を備える。筐体２０は、当該筐体２０内部のセンサ部２の構成要素を、取り囲む。換言すれば、センサ部２の構成要素が面２０ａ，２０ｂの間に配設されるように、または当該構成要素が一つ面から他方の面に向かって延設するように配設されるように、筐体２０は、二つ面、第一の面２０ａおよび第二の面２０ｂを、備える。筐体２０は、側面をも備えていてもよい、または、代替えとして、第一面と第二の面との間に空間を設けるように、両面が互いに接続されるように、第一の面２０ａおよび第二の面２０ｂは構成される。当該空間には、センサ部２の構成要素が配置される。第一の面２０ａおよび第二の面２０ｂは、曲面形状を有してもよく、または筐体２０を提供するのに適切な他の形状を有していてもよい。本発明の当該実施の形態において、センサ部２の構成要素は、回路基板２６、光学測定により身体活動を測定するように構成された光学センサ２１、第一の磁気接続部２２、筐体２０の第一の面２０ａ上に設けられ、光学センサ２１からの光を、第一の面２０ａを介して、筐体２０の外側へと伝搬することができるように構成された、透明窓２３、センサ部２へ電力を供給するように構成された再充電可能なバッテリ２４、およびバッテリ２４再充電するため、当該バッテリ２４に接続されるチャージパッド２５である。チャージパッド２５は、筐体２０の第二の面２０ｂから、第一の面２０ａに向かって、延設する。センサ部の構成要素は、筐体２０内において、第一の面から第二の面に向かって、次の順序で配設される。透明窓２３、光学センサ２１、回路基板２６、および第一の磁気接続部２２。本発明の当該実施の形態において、透明窓２３、光学センサ２１、および第一の磁気接続部２２は、第一の面２０ａに対して横断する方向に、互いの上部上に配設され、これにより、光学センサ２１と第一の磁気接続部２２との間に、回路基板２６が配置される。光学センサ２１は、回路基板２６上に配設され、または光学センサ２１は回路基板２６の面上に取り付けられ、これにより、光学センサ２１および回路基板２６は、コンパクトなアセンブリを形成し、第一の磁気接続部２２は、回路基板２６の光学センサ２１の反対側上に、好ましくは、光学センサ２１と回路基板２６とのアセンブリと直接接触して、配設される。換言すれば、光学センサ２１および回路基板２６は、同じアセンブリを形成し、第一の磁気接続部２２は、当該アセンブリに接続され、好ましくは当該アセンブリと直接接触するように、配設される。透明窓２３、光学センサ２１、回路基板２６、および第一の磁気接続部２２は、筐体２０の第一の面２０ａから当該筐体２０の第二の面２０ｂに向かって、筐体２０内に、直接的に、連続的に、配列される。筐体２０内に直接的、連続的に配列されるということは、透明窓２３、光学センサ２１、回路基板２６、および第一の磁気接続部２２は、互いに対抗して、または、それらの間に筐体の構造のみがある、ように配設される、または代替えとして、透明窓２３、光学センサ２１、回路基板２６、および第一の磁気接続部２２の幾つかが、互いに対抗しており、さらにそれらの幾つかが、それらの間に筐体の構造を有する、ように配設される、ということを意味する。換言すれば、第一の磁気接続部２２、光学センサ２１、透明窓２３が、筐体２０の第一の面２０ａから筐体２０の第二の面２０ｂに向かって、同一ラインに沿って配設されるように、さらに、分離接続部３の第二の磁気接続部３２が、センサ部２の第一の磁気接続部２２と、磁気的接続を形成するとき、透明窓２３、光学センサ２１、および回路基板２６は、第一の磁気接続部２２と第二の磁気接続部３２との間に配設され、第一の磁気接続部２２と第二の磁気接続部３２との間の磁気接続が、透明窓２３、光学センサ２１、および回路基板２６を通して提供されるように、透明窓２３、光学センサ２１、回路基板２６、および第一の磁気接続部２２が、筐体内に配置される。
【００２８】
本発明の当該実施の形態において、再充電可能なバッテリ２４およびチャージパッド２５が、第一の磁気接続部２２の隣に配設されるように、センサ部２の他の構成要素は、第一の磁気接続部２２と平行に、配設される。他の電機構成要素は、回路基板２６、回路基板２６の一方側または回路基板２６の両方側、と接続して配設される。
【００２９】
図１は、分離接続部３をも示しており、当該分離接続部３は、センサ部２とは独立しており、ユーザの耳の他方側にセンサ部２を固定するため、筐体２０の第一の面２０ａを介した第一の磁気接続部２２との磁気接続を提供するように構成された、第二の磁気接続部３２を備える。分離接続部３は、好ましくは、ユーザの耳の前側に配置され、これにより、分離接続部３の裏側３ｂは、ユーザの耳に対抗し、分離接続部３の表側３ａは、視認可能となる。分離接続部３の表側３ａは、宝飾品又は他の表面構造を、有していてもよい。または、分離接続部３の全体が、宝飾品を有していてもよく、または１以上の宝飾品から構成されていてもよい。
【００３０】
ボディセンサ１は、二つの分離した部分を備える。センサ部２および分離接続部３である。ボディセンサ１が使用されるとき、すなわち使用モードであるとき、ユーザの耳又は他の身体部分は、センサ部２の筐体２０の第一の面２０ａと分離接続部３との間に、配置され、これにより、磁気接続は、ユーザの耳Ｅ又は他の身体部分を介して、第一の磁気接続部２２と第二の磁気接続部３２との間に、提供される。
【００３１】
図２は、本発明に係るボディセンサ１の他の実施の形態を示しており、図１で示されているのと同様に、透明窓２３、光学センサ２１、回路基板２６、および第一の磁気接続部２２は、筐体２０の第一の面２０ａに対して横断する方向に、互いにの上面に、配設される。図１で示されているのと同様に、透明窓２３、光学センサ２１、回路基板２６、および第一の磁気接続部２２は、筐体２０内に、直接的に、連続的に配置されている。本発明の当該実施の形態において、再充電可能なバッテリ２４は、第一の磁気接続部２２の部分を形成するように配置される。または、再充電可能なバッテリ２４は、第一の磁気接続部２２を形成すように配置される。当該実施の形態において、再充電可能なバッテリ２４および第一の磁気接続部２２は、組み合わさっているので、センサ部２は、とてもコンパクトな形状として提供される。図２で示されている分離接続部３は、図１で示したものと同様である。本発明の当該実施の形態において、分離接続部３の第二の磁気接続部３２が、センサ部２の第一の磁気接続部２２との磁気的接続を形成しているとき、透明窓２３、光学センサ２１、および回路基板２６は、第一の磁気接続部２２と第二の磁気接続部３２との間に配設され、第一の磁気接続部２２と第二の磁気接続部３２との間の磁気的接続は、透明窓２３、光学センサ２１、および回路基板２６を介して、第一の磁気接続部２２と再充電可能なバッテリ２４とが、一つの部材として組み合わさっていることを除いて、図１と同様の接続状態にある。
【００３２】
図３は、本発明に係るボディセンサの実施の形態を示しており、ここで、透明窓２３、光学センサ２１、回路基板２６、および第一の磁気接続部２２は、図１で示されているのと同様に、筐体２０内に配設されており、再充電可能なバッテリ２４は、第一の磁気接続部２２と筐体２０の第二の面２０ｂとの間に、配置されている。本発明の当該実施の形態において、第一の磁気接続部２２と第二の磁気接続部３２との間で形成される磁気接続は、当該実施の形態において、光学センサ２１、および回路基板２６を介して、提供される。
【００３３】
図４は、本発明の一つの実施の形態を示しており、透明窓２３、光学センサ２１、回路基板２６、および第一の磁気接続部２２は、図１−３と同様の接続で、筐体２０内に配設される。本発明の当該実施の形態において、再充電可能なバッテリ２４は、透明窓および／または光学センサ２１の隣に、すなわち筐体２０内において透明窓２３および光学センサ２１と同じ回路基板２６の側に、配置されている。
【００３４】
図５は、本発明に係るボディセンサ１のセンサ部２の一つの実施の形態を示しており、ここで、光学センサ２１は、第一の磁気接続部２２内に、配設される。第一の磁気接続部２２は、光学センサ２１に適した貫通孔を備えており、これにより、当該貫通孔内に光学センサ２１が配設されるとき、第一の磁気接続部２２は、光学センサ２１を囲繞する。貫通孔を有する第一の磁気接続部２２は、貫通孔内に配置された第一の磁気接続部に関して、第一の磁気接続部２２が、第一の面２０ａから第二の面２０ｂに向かう方向に、光学センサ２１と少なくとも部分的に重ね合わせるように配置されるときと同様に作用する、磁束を作り出す。換言すれば、第一の磁気接続部を貫通する貫通孔、光学センサ２１が貫通孔内に配置され、これにより、第一の磁気接続部２２が光学センサ２１を囲繞するような構成となる当該貫通孔、を有する第一の磁気接続部２２は、光学センサ２１が、第一の面２０ａから第二の面２０ｂに向かう方向において、筐体２０の第一の面２０ａ内の透明窓２３と第一の磁気接続部２２との間に配置されるように、第一の磁気接続部２２が光学センサと重なり合って配置されるとときと同等な磁束が、光学センサ２１を通して、生成する。図５に示した実施の形態において、貫通孔を有する磁気接続部２２は、透明窓２３のエリア内に、部分的に配置される。第一の磁気接続部２２により生成される磁束は、第一の磁気接続部２２の真ん中の貫通孔内に配置された光学センサ２１を通り、これにより、第一の磁気接続部２２と耳Ｅの反対側に配設される第二の磁気接続部３２との間の磁気接続は、第一の面２０ａから第二の面２０ｂに向かう方向において光学センサと重ねあうように配設された第一の磁気接続部と、耳Ｅの反対側に配設される分離接続部３の第二の磁気接続部３２との間で、生成される磁気接続と同等である。
【００３５】
図６は、本発明に係るボディセンサ１のセンサ部２の一つの実施の形態をしめす。ここで、センサ部２の筐体２０は、防水となるように生成されており、これにより、防水となるように、透明窓２３は、筐体の第一の面２０ａの一部を形成する。第一の面２０ａから第二の面２０ｂへの方向において、光学センサ２１は、透明窓２３の隣に配設され、第一の磁気接続部２２は、光学センサ２１の隣に配置される。換言すれば、第一の面２０ａから第二の面２０ｂへの方向において、光学センサ２１は、第一の磁気接続部２２と透明窓２３との間に、配置される。さらに言い換えると、筐体２０の第二の面２０ｂから筐体２０の第一の面２０ａへ向かう方向において、第一の磁気接続部２２は、光学センサ２１に対して、少なくとも部分的に重ね合わせるように、配置される。さらに、第二の面２０ｂから第一の面２０ａに向かって眺めたときに、第一の磁気接続部２２は、光学センサ２１および透明窓２３と、少なくとも部分的に重なり合うように、配置される。換言すれば、第一の磁気接続部２２により生成される磁束は、光学センサ２１を通して、および筐体２０の第一の面２０ａの一部を形成する透明窓２３を通して、影響を及ぼすので、第一の磁気接続部２２は、耳Ｅに加えて、光学センサ２１および透明窓２３を通して、分離接続部３の第二の磁気接続部３２との、磁気相互作用を提供する。センサ部２は、上記で説明したように、筐体２０内に配設される、回路基板２６およびバッテリ２４をも、備える。
【００３６】
図７は、ボディセンサ１のセンサ部２と、当該センサ部２よりも耳Ｅの反対側に配置される分離接続部３との、実施の形態を示す。センサ部２の筐体２０は、防水となるように作成されているので、図６で示した実施の形態と同様に、防水となるように、透明窓２３は、筐体の第一の面２０ａの一部を形成する。図６で示された実施の形態に対する相違点は、本実施の形態では、光学センサ２１を囲繞するように配置された第一の磁気接続部２２である。換言すると、第一の磁気接続部２２は、当該第一の磁気接続部２２内に貫通孔を備えており、当該貫通孔内に、光学センサ２１が配設される。これにより、第一の磁気接続部２２は、光学センサ２１の側面から、当該光学センサを囲繞する。第一の磁気接続部２２の貫通孔は、第一の磁気接続部２２を貫通するように、配置されるので、第一の磁気接続部２２が、筐体２０の第一の面２０ａに対して又は第一の面２０ａの周辺において、筐体２０内に配置されるとき、筐体２０の第一の面２０ａから筐体２０の第二の面２０ｂへの方向において、貫通孔は、第一の磁気接続部２２を貫通し、さらに、貫通孔内に配置された光学センサ２１は、筐体２０の透明窓２３に対して又は筐体２０の透明窓２３の周辺に、存する。センサ部２の他の構成要素は、上述した内容に従って、筐体２０内部に配設される。第一の磁気接続部２２により生成される磁束は、第一の磁気接続部２２内に配置された光学センサ２１を通る、および、透明窓を通る、および、分離接続部３の第二の磁気接続部３２と共に耳Ｅを通る、磁気接続を提供する。
【００３７】
幾つかの図において示されている幾つかの実施の形態において、光学センサ２１および第一の磁気接続部２２は、第一の面２０ａから第二の面２０ｂに向かう方向に、少なくとも部分的に重なり合っており、または、第一の磁気接続部２２は、第一の面２０ａから第二の面２０ｂに向かう方向において、光学センサ２１と同軸となるように、配設されている。このことは、第一の磁気接続部２２により生成される磁束は、光学センサ２１を通って影響を及ぼし、これにより、第一の磁気接続部２２と第二の磁気接続部３２との間における磁気接続は、ユーザの耳Ｅと透明窓２３との間における安定した取付を提供する、ということを意味する。なお、透明窓２３を通して、光学センサ２１は作用する。
【００３８】
図８は、本発明に係るボディセンサ１のセンサ部２の一つの実施の形態を示す。ここで、光学センサ２１、透明窓２３、および第一の磁気接続部２２は、筐体２０の構造内で、互いに直接隣り合っていることにより、光学センサ２１および透明窓２３は、互いの上部で、直接的に配置され、さらに第一の磁気接続部の一部が、透明窓２３の上部および光学センサ２１に直接配置され、第一の磁気接続部２２の一部が、透明窓２３の上部のみに配置されるように、第一の磁気接続部２２は、配置される。換言すれば、光学センサ２１、透明窓２３、および第一の磁気接続部２２は、第一の面２０ａから第二の面２０ｂに向かう方向において、筐体内で、互いに直接隣り合うように、配設されている。本発明の本実施の形態において、二つのチャージパッド２５が存在する場合、再充電可能なバッテリ２４およびチャージパッド２５は、筐体内部において、光学センサ２１、透明窓２３、および第一の磁気接続部２２と隣り合うように、配置される。
【００３９】
図９は、本発明に係るボディセンサ１のセンサ部２の他の実施の形態を、示す。ここで、光学センサ２１、透明窓２３、および第一の磁気接続部２２は、筐体２０の構造内で、互いに直接隣り合って配置されることにより、光学センサ２１は、透明窓２３の上部に配置され、および第一の磁気接続部２２は、光学センサ２１の上部に配置される、または、光学センサ２１が第一の磁気接続部２２内に存するように、第一の磁気接続部２２は、透明窓２３の上部に配置される。光学センサ２１が第一の磁気接続部２２内に存するということは、たとえば、第一の磁気接続部２２が、光学センサ２１が配設される凹部を備え、これにより、光学センサは透明窓２３を通して使用可能であるが、第一の磁気接続部２２が、その側面において、光学センサ２１を囲繞する、ということを意味する。換言すれば、透明窓２３の方を向いて面している第一の磁気接続部２２の面は、好ましくは、透明窓２３の方を向いて面している光学センサ２１の面と、同じ高さ位置で、実質的に配設されている。筐体２０の構造内で互いに直接隣り合って配置されるということは、部品間において筐体２０の如何なる構成を有することなく、部品が互いに直接隣接して配置される、または、幾つかの又は全ての部品間において筐体２０の構成のみがあり、しかしながら、光学センサ２１、透明窓２３、および第一の磁気接続部２２の間、又は透明窓２３と光学センサ２１及び第一の磁気接続部２２の組合せとの間において、他の構成要素が配設されない、ということを意味する。図６で示した実施の形態において、光学センサ２１、透明窓２３、および第一の磁気接続部２２は、直接互いにの上部に存し、これにより、光学センサ２１の全体は、透明窓２３の上部に存し、さらに第一の磁気接続部２２は、光学センサ２１を覆うように配置される。または、透明窓２３および光学センサ２１と第一の磁気接続部２２との組合せは、直接互いの上部に存し、これにより、光学センサ２１の全体は、透明窓２３の上部に存し、さらに第一の磁気接続部２２は、光学センサ２１の周りに配設される。第一の磁気接続部２２は、光学センサ２１の周りに配置されるリング状の磁石であってもよい。この場合において、第一の磁気接続部２２は、光学センサ２１を囲繞し、上から見たとき、図９と同様なように見える。図１０および１１に示されているセンサ部２は、第二の面２０ｂから第一の面２０ａに向かう方向において、上から見られる。
【００４０】
本発明は、図面に示された例を参照して、上記にて説明されてきた。しかしながら、本発明は、上記例に限定されるものではなく、各請求項の範囲内において変更されてもよい。
【図１】
2021523813.tif 000003
【図２】
2021523813.tif 000004
【図３】
2021523813.tif 000005
【図４】
2021523813.tif 000006
【図５】
2021523813.tif 000007
【図６】
2021523813.tif 000008
【図７】
2021523813.tif 000009
【図８】
2021523813.tif 000010
【図９】
2021523813.tif 000011
【国際調査報告】
2021523813.tif 000012
2021523813.tif 000013
2021523813.tif 000014
2021523813.tif 000015